(57)【要約】【課題】製造コストの低減と装置の小型化を可能にする。【解決手段】磁石２と磁極片３とを交互に積層した積層体４を複数備え、被処理流体が流れる管路内に積層体４を平行に並べて隣接する積層体４の磁極片３の間を通路６とし、通路６を流れる被処理流体に磁束を作用させる磁気式流体処理装置であって、通路６には磁束密度の必要性の重み付けがされており、即ち通路を形成する領域の磁極片の縁と磁石の縁との距離が、磁場を最も強くしたい箇所で最も狭くなるようにすることで磁場強度を制御するようにして、重み付けの大きな部分に重点的に大きな磁束密度を発生させるようにしている。【選択図】図１
2005296712.tif 000002
【特許請求の範囲】
【請求項１】
被処理流体の出入り口を有する筒状ケーシングに磁石と磁極片とを交互に積層した積層体を互いに平行に複数配置して、互いに隣り合う前記積層体の磁極片の間で前記被処理流体を通過させる通路を形成し、前記被処理流体が前記通路を通過する際に前記被処理流体に磁界を作用させる磁気式流体処理方法において、前記通路を形成する領域の前記磁極片の縁と前記磁石の縁との距離が、磁場を最も強くしたい箇所で最も狭くなるようにすることで磁場強度を制御することを特徴とする磁気式流体処理方法。
【請求項２】
前記通路を形成する領域の互いに隣設する前記磁極片の縁の形状に対して前記磁石の縁の形状を相似形とし、前記相似形状の前記磁極片の縁と前記磁石の縁との距離を一定とすることを特徴とする請求項１記載の磁気式流体処理方法。
【請求項３】
被処理流体の出入り口を有する筒状ケーシングに磁石と磁極片とを交互に積層した積層体を互いに平行に複数配置して、互いに隣り合う前記積層体の磁極片の間で前記被処理流体を通過させる通路を形成し、前記被処理流体が前記通路を通過する際に前記被処理流体に磁界を作用させる磁気式流体処理装置において、前記通路を形成する領域の前記磁極片の縁と前記磁石の縁との距離が、磁場を最も強くしたい箇所で最も狭くなるようにしたことを特徴とする磁気式流体処理装置。
【請求項４】
前記通路を形成する領域の互いに隣設する前記磁極片の縁の形状に対して前記磁石の縁の形状を相似形とし、相似形状の前記磁極片の縁と前記磁石の縁との距離が一定となるように前記磁極片と前記磁石とを積層させたことを特徴とする請求項３記載の磁気式流体処理装置。
【請求項５】
前記通路の幅が最大でも１０ｍｍの範囲で最も圧損が少なくなる広さとしたことを特徴とする請求項３または４に記載の磁気式流体処理装置。
【請求項６】
前記筒状ケーシングの出入り口は前記積層体を収容する部分に向けて緩やかに拡径したレジューサであることを特徴とする請求項３から５のいずれか１つに記載の磁気式流体処理装置。
【請求項７】
前記積層体の積層方向と直交する同一平面において、互いに隣設する磁極片が同一磁極であることを特徴とする請求項３から６のいずかれ１つに記載の磁気式流体処理装置。
【請求項８】
前記同一平面内の磁石は同一磁極とし、水の流れ方向にＮ極とＳ極を交互に配置することを特徴とする請求項７記載の磁気式流体処理装置。
【請求項９】
前記通路の幅よりも前記磁極片の積層方向の間隔の方が広いことを特徴とする請求項７または８に記載の磁気式流体処理装置。
【発明の詳細な説明】
【技術分野】
【０００１】
本発明は、磁気式流体処理方法および磁気式流体処理装置に関する。更に詳述すると、本発明は、流体の通路に磁場を形成して流体に磁束を作用させる磁気式流体処理方法及び磁気式流体処理装置に関するものである。
【背景技術】
【０００２】
流れる水に磁場を与えることにより水を活性化する装置として、例えば特許第２９０９８９１号公報に開示された磁気式水処理装置がある。この磁気式水処理装置は、図１１及び図１２に示すように、磁石１０３と磁極片１０４とを交互に積層した積層体１０１を例えば４つ備えており、流体が流れる図示しないケーシング内に積層体１０１を平行に並べて隣接する積層体１０１の磁極片１０４の間を流体が流れる通路１０５として流体に磁束を作用させるものである。磁石１０３には円形のもの（丸磁石・丸型あるいはＲ型と呼ばれている）が採用されており、水の通路の圧損を均一にしかつ水に直角に磁力線を作用させるために扇形の磁極片１０４が用いられ、この磁極片１０４の間で水の通路１０５が形成れている。隣接する積層体１０１では同じ段の磁石１０３のＮ極とＳ極とが逆になっている。これにより、対向する磁極片１０４の間、即ち通路１０５を挟んで向かい合う磁極即ちＮ極からＳ極に向かう磁力線を発生させ、この通路１０５を流れる水が磁力線を直角に横切ることで、水を活性化させる磁気処理を行うようにしている。この磁気処理装置の場合、磁石１０３と磁極片１０４とを何段にも積層して、磁気処理に必要な磁束密度を水に与えるようにしている。
【０００３】
また、水の磁気処理は、強力な磁場と被処理流体の流速並びに流体に対して垂直に磁力線を当てることが必要と考えられていることから、希土類系磁石を採用して数千ガウスあるいはそれ以上の磁束密度を局所において与えるようにするものもある。
【０００４】
【特許文献１】特許第２９０９８９１号
【発明の開示】
【発明が解決しようとする課題】
【０００５】
しかしながら、磁石としてより磁束密度の高い希土類系磁石を使用する方法では、装置の大部分を占める磁石が高価であることから磁気式流体処理装置の製造コストが増加してしまう問題がある。しかも、いくら強い磁場を与えたとしても、水に対して垂直に磁力線を当てることができなければその効果は期待通りのものではなくなる。ところが、ケーシング内での水の流れの挙動は把握することさえ難しく、それをコントロールすることは困難であり、単純に強い磁場を歌えても効率的であるとは言えない。加えて、水の磁気処理にはどの程度の磁束密度の磁場を与えなければならないかということは完全に解明されておらず、より強い磁場を与える方が磁気処理に必要かつ十分な磁場の影響を受けない箇所をなくすという点ではより効果的であるとはいえても、磁気処理効果の飽和という観点からも、必要以上に高い磁束密度の磁石を使用してもそのコスト増に見合うだけの効果が期待できるとはいえない。
【０００６】
一方、図１１及び図１２に示す磁気式処理装置の場合、磁極片の間で一定幅の通路１０５を形成してその間を水を通過させることで磁力線に対し垂直に水を流すようにしているが、希土類系磁石よりも磁束密度がかなり小さいフェライト系磁石を用いた場合、所望の磁気処理効果を得るには、磁石１０３と磁極片１０４の段数を多くすることが必要であり、装置の大型化と圧力損失の増大が避けられない問題があった。
【０００７】
この点について、本発明者等が種々実験・研究した結果、磁極片の間で均一な幅（磁極片間ギャップ）の流路を形成しても、その間に形成される磁束密度の分布はほぼ均一なものではなく、磁束密度の大きさに大きな差が生じていることが明らかになった。つまり、隣り合う磁極片１０４と磁極片１０４との間隔が等しくても、この磁極片間に発生する磁束密度は対向する磁石と磁石との間隔が最も短い領域（あるいは磁石の縁と磁極片の縁との距離が最も短い領域）１０６を中心として最も大きく、そこから離れるにしたがって小さくなり、磁極片間の通路１０５で磁気の影響を受けないあるいは影響が少ない領域１０７，１０８が生じていたことが判明した。特に、圧力損失を低減させるために通路１０５の幅を広く採った場合に、この影響は顕著である。しかも、水の流れは、通路１０５の幅を一定にしていても、流体摩擦によって管壁から離れるほど流速が速くなり、中央部分が最も流れ易くなることから、磁気処理に必要なだけの磁束密度が得られないあるいは得難い領域１０７に水が多く流れる。このため、水がケーシング内を流れる間に万遍なく必要な磁界の影響を受けるようにするためには、磁石１０３と磁極片１０４の段数を多くして磁気を作用させる距離を長くすることによって、十分な磁気処理効果が得るようにしている。
【０００８】
また、磁場の影響を受けないあるいは受けても弱いところの存在をなくすために、希土類系磁石のような高磁束密度の磁石を採用することは容易なことである。しかし、この高価な希土類系磁石の採用は、通路１０５の幅を広げることによって磁束密度の急速な低下が起こっても磁気処理に必要な最低限の磁束密度を確保することも可能となるが、同時に装置を高価なものとしてしまう。
【０００９】
そこで、高磁束密度の磁石を採用せずに、圧力損失の増大を招かずに磁気の影響を受けにくい場所を極力少なくすることが望まれている。
【００１０】
本発明は、かかる要望に応えるもので、高い磁束密度の磁石を採用せずとも、例えば安価なフェライト系磁石を用いても、磁場の影響を受けないあるいは磁場の影響が弱いところの存在を極力少なくして、十分な磁気処理効果が得られる磁気式流体処理方法並びに磁気式流体処理装置を提供することを目的とする。また、本発明は、圧力損失の増大を回避しつつ装置の小型化を実現できる磁気式流体処理方法並びに磁気式流体処理装置を提供することを目的とする。
【課題を解決するための手段】
【００１１】
本発明者等は、流体の磁気処理と磁極片間に発生させる磁束密度の関係について鋭意研究を行った結果、磁極片間の通路で磁気の影響を受けないあるいは影響が少ない領域が生じ、尚かつこの領域１０７に水が多く流れていること、そして、これを高磁束密度の磁石を用いずとも防ぐためには、磁石の形状と磁極片に対する位置を工夫することが有効であるとの知見を得た。
【００１２】
本発明はかかる知見に基づき成されたもので、請求項１記載の発明は、被処理流体の出入り口を有する筒状ケーシングに磁石と磁極片とを交互に積層した積層体を互いに平行に複数配置して、互いに隣り合う前記積層体の磁極片の間で前記被処理流体を通過させる通路を形成し、前記被処理流体が前記通路を通過する際に前記被処理流体に磁界を作用させる磁気式流体処理方法において、前記通路を形成する領域の前記磁極片の縁と前記磁石の縁との距離が、磁場を最も強くしたい箇所で最も狭くなるようにすることで磁場強度を制御するようにしている。
【００１３】
したがって、磁極片間に形成される通路の必要な箇所に必要な磁束密度・強い磁場を形成して磁力線と垂直に被処理流体を通過させることができる。つまり、通路の被処理流体が流れやすい箇所に大きな磁束密度を与えることができ、流体の磁気処理・活性化を良好に行うことができる。一方、磁極片の周辺のケーシングとの間の通路あるいはその近傍の磁極片間の通路においては磁場の影響を大きく受けることがなくても、この部分には圧力損失やケーシング壁面との流体摩擦などによって被処理流体が流れ難いので、磁束密度を被処理流体が流れやすい箇所に集中させることによる磁気処理の効率向上によって全体として磁気処理・活性化を良好に行うことができる。
【００１４】
また、請求項２記載の発明は、請求項１記載の磁気式流体処理方法において、前記通路を形成する領域の互いに隣設する前記磁極片の縁の形状に対して前記磁石の縁の形状を相似形とし、前記相似形状の前記磁極片の縁と前記磁石の縁との距離を一定とするようにしている。この場合、磁極片の間で形成される被処理流体を通過させる通路の磁石を配置している領域全域で磁場の強い影響を受け、中でも通路が交差する被処理流体が流れ易い箇所では磁束が集中してより強い磁場の影響を受ける。即ち、磁石に近い部分の磁極片の縁では磁束密度は大きくなり、磁極片の縁に沿って磁石が配置されている領域の磁極片間の通路の全体において強い磁場の影響を受ける、水の磁気処理効果が高まる。
【００１５】
また、請求項３記載の発明は、被処理流体の出入り口を有する筒状ケーシングに磁石と磁極片とを交互に積層した積層体を互いに平行に複数配置して、互いに隣り合う前記積層体の磁極片の間で前記被処理流体を通過させる通路を形成し、前記被処理流体が前記通路を通過する際に前記被処理流体に磁界を作用させる磁気式流体処理装置において、前記通路を形成する領域の前記磁極片の縁と前記磁石の縁との距離が、磁場を最も強くしたい箇所で最も狭くなるようにしている。この装置によれば、磁極片間に形成される通路の被処理流体が流れる箇所に必要な磁束密度・強い磁場を形成することができる。即ち、本発明装置によると、通路の被処理流体が流れやすい箇所に大きな磁束密度を与えることができ、被処理流体に必要な磁気処理・活性化を効率的に達成できる。
【００１６】
ここで、通路を形成する領域の互いに隣設する前記磁極片の縁の形状に対して前記磁石の縁の形状を相似形とし、相似形状の前記磁極片の縁と前記磁石の縁との距離が一定となるように前記磁極片と前記磁石とを積層させることが好ましい。この場合には、磁極片の間で形成される被処理流体を通過させる通路の磁石を配置している領域全域で磁場の強い影響を受け、中でも通路が交差する被処理流体が流れ易い箇所では磁束が集中してより強い磁場の影響を受けるので、効率的な磁気処理・活性化が実現できる。
【００１７】
また、通路の幅は圧力損失と比例し磁場強度と反比例するので、磁場の影響が大きく低下しない範囲内で可能な限り広くすることが好ましい。本発明者等の実験によると、通路幅は９ｍｍを超えると磁力の低下が目立ち始めるが、１０ｍｍ程度までは磁力の低下が磁気処理に必要な磁束密度・強い磁場を形成するに実用上問題とならない範囲で尚かつ圧力損失を最も低くできるので好ましい。
【００１８】
さらに、筒状ケーシングの出入り口は積層体を収容する部分に向けて緩やかに拡径したレジューサであることが好ましい。この場合には、圧力損失を低減できる。
【００１９】
また、積層体の積層方向と直交する同一平面において、互いに隣設する磁極片が同一磁極であることが好ましい。より好ましくは、同一平面内の磁石は同一磁極とし、水の流れ方向にＮ極とＳ極を交互に配置することである。更に、この通路の幅よりも磁極片の積層方向の間隔の方が広いことが好ましい。
【発明の効果】
【００２０】
しかして、請求項１記載の磁気式流体処理方法並びに請求項３記載の磁気式流体処理装置によると、磁場を最も強くしたい箇所に最も強い磁場を与えるように制御できるので、希土類系磁石に比べて比較的低磁束の磁石例えばフェライト系磁石を使っても、磁極片間に形成される通路の磁場が必要な箇所に必要な磁束密度・強い磁場を形成して磁力線と垂直に被処理流体を通過させることができる。例えば、本発明者等の実験によると、少なくとも２００ガウス、好ましくは５００ガウスの磁束密度が水に作用すれば赤さびが黒さびに変化したことが同定できた。したがって、残留磁束密度の高い高価な希土類系磁石等を使わなくとも、安価なフェライト系磁石でも十分な磁気処理効果が得られる。しかも、このフェライト系磁石は磁気特性が安定している。
【００２１】
更に、本発明によると、通路の被処理流体が流れやすい箇所に大きな磁束密度を与えることができので、被処理流体の磁気処理・活性化を良好且つ効率的に実施でき、磁石並びに磁極片の段数を減らして装置を小型化することができる。
【００２２】
また、請求項２記載の磁気式流体処理方法並びに請求項４記載の磁気式流体処理装置によると、磁極片の間で形成される被処理流体を通過させる通路の磁石を配置している領域全域で磁場の強い影響を受け、中でも通路が交差する被処理流体が流れ易い箇所では磁束が集中してより強い磁場の影響を受けるので、水の磁気処理効果が高い。したがって、請求項４記載の磁気式流体処理装置によると、磁気処理を完了させるための磁石と磁極片の段数を減らすことができるので、装置をよりコンパクトにできる。
【００２３】
さらに、請求項５記載の磁気式流体処理装置によると、磁気処理に必要な磁束密度・強い磁場を磁極片間の通路に形成した上に圧力損失を最も低くできるので、装置のコンパクト化に適している。
【００２４】
また、請求項６記載の磁気式流体処理装置によると、被処理流体をケーシングに導入すとき並びにケーシングから排出するときの圧力損失を低減できる。
【００２５】
また、請求項７から８記載の発明によると、互いに隣設する同一磁極の磁極片の間で形成される反発磁場で被処理流体が強い磁界の影響を受けるので、磁気処理効果が効果的であり、装置のより小型化を可能とする。
【発明を実施するための最良の形態】
【００２６】
以下、本発明の構成を図面に示す最良の形態に基づいて詳細に説明する。
【００２７】
図１〜図６に、本発明の磁気式流体処理装置の実施形態の一例を示す。この磁気式流体処理装置１は、被処理流体の出入り口１６，１７を有する筒状ケーシング１４に磁石２と磁極片３とを交互に積層した積層体４を互いに平行に複数配置して、互いに隣り合う積層体４の磁極片３の間で被処理流体を通過させる通路６を形成し、被処理流体が通路６を通過する際に被処理流体に磁界を作用させるようにしている。
【００２８】
ここで、通路６には磁束密度の必要性の重み付け、即ち意図的に狙った箇所に強い磁場を形成するように、通路６を形成する領域の磁極片３の縁と磁石２の縁との距離ｘが、磁場を最も強くしたい箇所で最も狭くなるように設けることで磁場強度を制御するようにしている。本実施形態では、通路６を形成する領域の互いに隣設する磁極片３の縁の形状に対して磁石２の縁の形状を相似形とし、相似形状の磁極片３の縁と磁石２の縁との距離ｘを一定とするようにしている。この場合には、磁極片３の間で形成される被処理流体を通過させる通路６の磁石２を配置している領域Ａの全域で磁場の強い影響を受け、中でも通路が交差する被処理流体が流れ易い箇所では磁束が集中してより強い磁場の影響を受ける。
【００２９】
積層体４は、交互に積層した磁石２と磁極片３を１本の支持軸７に通して１つのブロックに構成されている。本実施形態では、積層体４は例えば４本備えられている。さらに、４本の積層体４は、例えば２枚の端部固定板８と２枚の中間固定板９に組み付けられ一体化されている。即ち、４本の積層体４は、支持軸７と同じ長さの支柱１０を中心に円状に且つ平行に並べられ、両端を端部固定板８によって、中間の２箇所を中間固定板９によってそれぞれ束ねられている。より具体的には、支柱１０と各積層体４の支持軸７の両端にはねじ部１１と段部１２（図２に支持軸７について図示）が形成されており、段部１２を端部固定板８の裏面に当て、ねじ部１１を端部固定板８の孔に通してナット１３を締め付けることで、各積層体４の両端を端部固定板８に取り付けている。また、磁石２と磁極片３を交互に積層して積層体４を製造する際、中間の２箇所において磁極片３の代わりに中間固定板９を積層しておくことで、４本の積層体４の途中の部分を数段毎に束ねている。本実施形態では、図１の上から４段目と５段目の間と、１０段目と１１段目（下から４段目と５段目）の間に中間固定板９を積層している。４本の積層体４を組み付ける際、隣接する積層体４の磁石２同士が反発又は吸引し合うので、途中に中間固定板９を設けることで、磁石２の反発又は吸引による振れで組付作業性が損なわれるのを防止することができる。また、途中に中間固定板９を設けることで、４本の積層体４の中間部分の剛性を向上させることができ、特に積層数が多くなる場合に有用である。尚、磁石２は脆く破損し易いのでそのかけらが流出しないようにするため、ステンレス製キャップ２ａに納めて磁極片３に組み付けられている。例えば、本実施形態では磁石を２枚ずつ合わせてステンレス製カップ２ａに収納して、磁極片３を挟んで連結するようにしている。勿論、磁石２は、１枚ずつでも良いし、場合によっては３枚以上合わせてカップ２ａに収納して用いても良い。
【００３０】
一体化された４本の積層体４から成る磁気式流体処理装置本体１は、筒状ケーシング１４内に収容されて被処理流体が流れる管路５に組み込まれる。本実施形態では、横断面形状が円形状を成す筒状ケーシング１４内に磁気式流体処理装置本体１を収容するので、磁気式流体処理装置本体１全体の軸方向からみた輪郭を円形にする必要がある。このため、積層体４の数が４本の場合には、積層体４の磁極片３の形状を中心角が９０度の扇形としている。ここで、筒状ケーシング１４の出入り口１６，１７は積層体４を収容するケーシング本体部分に向けて緩やかに拡径したレジューサで構成されている。レジューサの拡径角度は例えば７°〜１０°程度に設定されている。
【００３１】
隣接する積層体４の磁極片３の間には、適宜隙間があけられて被処理流体を通過させる通路６が形成されている。この通路の幅（隣合う磁極片３の間の隙間）ｄの大きさは、圧力損失と比例し磁場強度と反比例するので、磁場の影響が大きく低下しない範囲内で可能な限り広くすることが好ましい。即ち、被処理流体の圧力損失を考慮すると、磁極片３間の隙間（通路６）は広い方が良い。一方、発生する磁束密度の大きさを考慮すると、磁極片３間の隙間は狭い方が良い。そして、本発明者等の実験によると、磁極片３間の隙間（通路幅）ｄが０ｍｍ（隙間無し）から広がるにつれて磁極片３間の磁束密度は徐々に減少するが、約９ｍｍまでは磁束密度の減少は緩やかであり、約９ｍｍを超えると磁束密度の減少が目立ち始めるが、１０ｍｍ程度までは磁力の低下が磁気処理に必要な磁束密度・強い磁場を形成するに実用上問題とならない範囲である。そこで、磁極片３間の磁束密度の減少と被処理流体の圧力損失の低減を考慮して、本実施形態では磁極片３間の隙間を１０ｍｍとしている。尚、本実施形態では、扇形の磁極片３を支柱１０まわりに円形状に並べる配置であるので、軸方向からみて十字形状の通路６が形成される。通路６は各段の磁極片３毎に形成される。また、中間固定板９には、例えば図４に示すような切り欠き孔１５が４箇所に設けられており、中間固定板９の段においては各切り欠き孔１５が通路６となる。各切り欠き孔１５は磁極片３間の通路６の上に重なるように配置されており、被処理流体の流れを妨げ難い構造となっている。
【００３２】
通路６には磁束密度の必要性に対する重み付けがなされており、必要な箇所に必要な磁束密度・強い磁場を形成して磁力線と垂直に被処理流体を通過させるようにされている。つまり、被処理流体の磁気処理を行う場合、通路６の全ての部分について磁束密度を大きくしなくても、必要なところだけに磁束密度を大きくすれば、被処理流体を十分に活性化することができて磁気処理の効果として十分な効果を得ることができると考えられる。そこで、通路６を形成する領域の磁極片３の縁と磁石２の縁との距離ｘが、磁場を最も強くしたい箇所で最も狭くなるように設けて磁場強度を制御することで重み付けするようにしている。
【００３３】
本実施形態の場合、ケーシング１４の管壁から離れた中央寄りの被処理流体が流れやすい領域Ａに大きな磁束密度を与え、それ以外の領域の重み付けを小さくした。この場合、磁極片３の周辺のケーシング１４との間の僅かな隙間（通路）あるいはその近傍の磁極片３間の通路６においては磁場の影響を大きく受けることがなくても、この部分には圧力損失やケーシング壁面との流体摩擦などによって被処理流体が流れ難いので、磁気処理効果に与える影響は小さい。したがって、磁束密度を被処理流体が流れやすい箇所に集中させることによる磁気処理の効率向上の方が上回り、全体として磁気処理・活性化を良好に行うことができる。
【００３４】
上述の重み付けをするため、磁石２は、通路６を形成する領域の互いに隣設する磁極片３の縁の形状に対して磁石２の縁の形状を相似形とし、相似形状の磁極片３の縁と磁石２の縁との距離ｘが一定となるように磁極片３と磁石２とを積層させている。即ち、本実施形態では、扇形の磁極片３に対し、磁石２の平面形状を中心角９０度の扇形状とし、磁石２の縁と磁極片３の縁とが通路６の被処理流体が流れ易い領域Ａにおいて等しくなるように配置されている。このようにすることで、磁石２として磁力が強く高価なものを使用しなくても、通路６の重み付けの大きな部分に重点的に大きな磁束密度を発生させることができる。
【００３５】
本発明者等の実験によると、少なくとも２００ガウス、好ましくは５００ガウスの磁束密度が水に作用すれば赤さびが黒さびに変化したことが同定できた。したがって、残留磁束密度の高い高価な希土類系磁石等を使わなくとも、安価なフェライト系磁石でも十分な磁気処理効果が得られる。しかも、このフェライト系磁石は磁気特性が安定している。
【００３６】
ここで、磁石の着磁方向は、積層方向（水の流れ方向）にＮ，Ｓとし隣合う磁石の対向する磁極がＮ，Ｓ極となるようにしても良いが、本実施形態の場合には積層体の積層方向と直交する同一平面において、互いに隣設する磁極片が同一磁極であるようにしている。さらには、同一平面内の磁石は全て同一磁極とし、積層方向にＮ極の平面とＳ極の平面とを交互に配置するようにしている。そして、通路６の幅ｄよりも磁極片３の積層方向の間隔ｔの方が広くなるように形成している。これによって、通路６を通過する被処理流体が互いに隣り合う磁極片３の同一磁極間で反発し合う磁力線を垂直に横切る。この場合、被処理流体に対して作用する磁力線の向きは１段毎に逆になるので、被処理流体は１段ごとに向きを変えた磁力線によって活性化されることになる。このため、被処理流体に対する磁束作用を極めて大きくすることができ、小型の装置で高い活性化効果を得ることができる。Ｎ極とＳ極とに交互に通過することによって効率的にスピン現象を起こすことでさび成分などが磁気をもった小さなマグネトロンになり、配管の内壁に発生するマイナスのゼータ電位に対してプラス電位となった細かな磁石が吸着することで管壁をマグネタイトで次第に被覆するものと推定される。
【００３７】
以上のように構成された磁気式流体処理装置によると、管路５から供給される被処理流体は、レジューサから成る入り口１６を経て筒状ケーシング１４内に大きな乱れを招くことなく流入する。そして、ケーシング内での流れの挙動がどのようであろうと、各段の磁極片３の間の通路６を通過する際には、被処理流体に磁力線が直角に作用する。しかも、被処理流体の多くが磁気処理に必要な磁束密度が発生する領域Ａを通過するため、筒状ケーシング１４内を通り抜ける頃には、磁気処理・活性化が完了している。即ち、大きな磁束密度が欲しい所に大きな磁束密度を発生させることができる。このため、効率よく被処理流体の活性化を行うことができ、通路６全体に大きな磁束密度を発生させるような強い磁力の磁石２を使用しなくて済む。
【００３８】
本発明は、被処理流体が水の場合は勿論のこと、例えば軽油、ガソリン等の石油燃料や、化学プラントにおける供給反応材料等、磁束作用での活性化効果の得られる他の幅広い流体に適用することができる。
【００３９】
この磁気式流体処理装置１を例えば給水配管に装着した場合には、被処理流体として水に対する高い活性化効果が得られ、水による配管内の腐食の進行を止め、あるいは防止する。また、付着スケールの溶解、再付着防止効果を得ることができ、安価なランニングコストで長期にわたって高品質の給水を得ることができる。しかも、小型、低コストで設置場所にも制約が少ない。
【００４０】
なお、水の磁気処理の効果として、配管内の腐食の進行を止め、あるいは防止できるメカニズムは次の通りである。即ち、水は極性を有しており、水流は耐電粒子の流動である。したがって、この水流が磁場を通過すると電磁誘導により、誘導電流が発生する。さらに、誘導電流が発生すると同誘導電流によって水は電気分解されて、原始的に原子状態の活性水素と活性酸素が発生することとなる。
【００４１】
このうち、活性酸素は、すぐに水と結合してＨ２Ｏ２を生成する。一方、非常に還元力が強い活性水素は、水道管壁に堆積した赤錆Ｆｅ２Ｏ３を還元して、四酸化三鉄Ｆｅ３Ｏ４を生成する。また、水中に含まれる鉄イオンに対しては、酸化の進行を防止する。ここで、赤錆Ｆｅ２Ｏ３は進行性の腐食生成物であるため、放置しておくと水道管壁面を浸食して漏水の原因ともなるし、それ自体が流出して赤水を発生させる原因ともなっている。一方、四酸化三鉄Ｆｅ３Ｏ４は非常に安定な酸化物であって、一度生成されると再び酸化されて赤錆Ｆｅ２Ｏ３を発生させることもない。さらに、水道管壁面に生成した四酸化三鉄Ｆｅ３Ｏ４は緻密な被膜を形成するため水道管を赤錆による浸食から保護する。したがって、磁気処理を行った水は、水道管の閉塞、漏水、赤水を防止することが可能となっている。本発明者等の実験によると、本発明の磁気処理装置を温水管・給水管に設置した場合、設置４５日目において濁度・溶出鉄分などに顕著な変化が現れ、設置８８日目にはＸ線回折法による同定検査にて配管内のマグネタイト化が確認された。また。発電所の排水管に設置した場合の実験においては、３ヶ月設置した後に、装置を２週間外していても、ゼータ電位（界面電位）が確認され、管内壁面にマグネタイトが生成されたことが推定された。
【００４２】
また、同時に、磁気処理により発生する活性酸素は、菌の餌となる有機物を分解したり、住みかをなくして、レジオネラ菌やその他の菌類、藻類などが繁殖し難い環境を作り出し維持すると共に、スケール成分（カルシウム、マグネシウムなど）の析出を抑えることができる。即ち、磁気処理により水の活性化を促し、菌の餌となる有機物を分解したり、住みかをなくして、菌類や藻類などが繁殖し難い環境を作り出し維持する。同時に、磁気処理により、水の分子の集合体であるクラスターが小さくなり、溶解度が上がることから、スケール成分（カルシウム、マグネシウムなど）の析出を抑えることができる。スケール成分は磁気処理により固着力が弱まり、微細化した状態で装置から流出するので、配管や熱交換機・濾過器などへ付着しない。通常、スケールを形成する結晶核は、電気的に不安定な状態で溶存しており、相互間の磁性によって誘因凝集（反応）しながら粒子状に成長する。そして、更に成長を続けた粒子は、配管内の静電気に引き寄せられて管壁に沈殿・固着して管を閉塞させる。しかし、磁化処理すると、存置内の電場（磁場）が結晶核の電位を配管内の静電気に反発する電位に変えるので、結晶核は浮遊しながら微細な粒子状態で安定し、配管に付着せずに貝部へ排出される。また既に固着しているスケールは、粒子が丸みを帯び、相互間の付着力が低下し徐々に剥離して管外へ流出する。スライムは、水中に存在する殺菌が有機物などを利用して増殖したコロニーが主なものであり、細菌がお互いに粘着物質を分泌しながら凝集して徐々に大きな集合体へ成長する状態である。このスライムが配管内や系統内に付着した場合、熱交換率の低下や更にはスライムの増加に伴って配管との界面が局部的に嫌気状態となって酸素濃淡電池が発生し腐食を助長する弊害も発生する。スライムは、その特性上、スケール、腐食生成物等の付着物質がある場合にはより発生しやすい傾向がある。このため、スライム防止のためにはスケール、腐食などの発生・付着を防止することが重要であるが、磁気処理によれば同時にこれらスケール付着も防止できるので好ましい。
【００４３】
なお、上述の形態は本発明の好適な形態の一例ではあるがこれに限定されるものではなく本発明の要旨を逸脱しない範囲において種々変形実施可能である。
【００４４】
例えば、上述の説明では、積層体４の数を４本にしていたが、積層体４の数は４本に限るものではなく、２本、３本、あるいは５本以上にしても良い。例えば、図７に積層体４の数を９本とした場合の例を示す。この場合には、軸方向からみて格子状の通路６となる。なお、図７の符号Ａで示す仮想線の円の範囲が通路６の大きな重み付けの部分である。また、例えば図８に示すように、外側の積層体４の磁極片３と筒状ケーシング１４との間も通路６にする場合には、通路６全体に大きな重み付けをしても良い。この場合には、磁石２の横断面の形状及び大きさを磁極片３の形状及び大きさとほぼ同じにすれば良い。即ち、磁極片３並びに磁石２の形状は、前述の扇形に限定されるものではなく、必要に応じて種々の形状をとり得ることができるものである。
【００４５】
また、上述の説明では、隣接する積層体４では、向かい合う磁極片３同士が同極になるようにしていたが、この構成に限るものではなく、例えば図９に示すように、向かい合う磁極片３同士が異極になるようにしても良い。この場合にも、磁極片３間には磁力線が発生するので、被処理流体に対して磁力線を作用させることができる。
【００４６】
また、上述の説明では、各積層体４の磁極片３の高さを同一にし、図６に示すように隣接する積層体４の磁極片３同士が正面に向かい合うように配置していたが、例えば図１０に示すように、一端にスペーサ１６を設ける等して隣接する積層体４の磁極片３同士をずらして配置しても良い。磁極片３同士の配置をずらすことで磁極片３間の距離が広がるので、通路６の通路面積を増加させて被処理流体の圧力損失を減らすことができる。
【図面の簡単な説明】
【００４７】
【図１】本発明の磁気式流体処理装置の第１の実施形態を示す斜視図である。
【図２】積層体の端部を示す斜視図である。
【図３】図１のIII−III線に沿う断面図である。
【図４】中間固定板の平面図である。
【図５】磁気式流体処理装置をケーシング内に設置した様子を示す平面図である。
【図６】隣接する積層体の磁極片の磁極の関係を説明するための図である。
【図７】本発明の磁気式流体処理装置の第２の実施形態を示し、その図３に対応する断面図である。
【図８】本発明の磁気式流体処理装置の第３の実施形態を示し、その図３に対応する断面図である。
【図９】本発明の磁気式流体処理装置の第４の実施形態を示し、その図６に対応する図である。
【図１０】本発明の磁気式流体処理装置の第５の実施形態を示し、その図６に対応する図である。
【図１１】従来の磁気式流体処理装置の斜視図である。
【図１２】図１１のXII−XIIに沿う断面図である。
【符号の説明】
【００４８】
１  磁気式流体処理装置
２  磁石
３  磁極片
４  積層体
５  管路
６  通路
【図１】
2005296712.tif 000003
【図２】
2005296712.tif 000004
【図３】
2005296712.tif 000005
【図４】
2005296712.tif 000006
【図５】
2005296712.tif 000007
【図６】
2005296712.tif 000008
【図７】
2005296712.tif 000009
【図８】
2005296712.tif 000010
【図９】
2005296712.tif 000011
【図１０】
2005296712.tif 000012
【図１１】
2005296712.tif 000013
【図１２】
2005296712.tif 000014